(57)【要約】【課題】プロテクタのロック部を受側ロック部に容易に挿入できるようにすることを目的とする。【解決手段】プロテクタ２０は、ヒンジ部３１を介して開閉可能に連結された第１本体部２２及び第２本体部３２を備える。第１本体部２２にヒンジ部３１の軸に対して交差する第１側壁部２４ｂが形成されると共に、第２本体部３２に第２側壁部３４ｂが設けられる。第２側壁部３４ｂにロック部３６が設けられる。第１側壁部２４ｂに受側ロック部２６が設けられる。第１側壁部２４ｂに、受側ロック部２６に対するロック部３６の挿入方向に向けてヒンジ部３１側に順次近づくガイド面２８ｆが設けられる。第２側壁部３４ｂに、第１本体部２２に対して第２本体部３２が閉じられる途中でガイド面２８ｆに摺接し、ロック部３６を受側ロック部２６の幅方向中央に向けて案内する案内突部３８が設けられている。【選択図】図１
2016096601.tif 000002
【特許請求の範囲】
【請求項１】
ヒンジ部を介して開閉可能に連結され、閉じられた状態で電線を収容する空間を形成する第１本体部及び第２本体部を備え、
前記第１本体部に、前記ヒンジ部の軸に対して交差する方向に沿って第１側壁部が形成されると共に、
前記第２本体部に、前記第１側壁部の延在方向に沿って第２側壁部が設けられ、
前記第２側壁部に、前記第１本体部と前記第２本体部とが閉じられた状態で相手側に対して突出するロック部が設けられると共に、前記第１側壁部に、前記ロック部を挿入及び係止可能な受側ロック部が設けられ、
前記第１側壁部に、前記受側ロック部に対する前記ロック部の挿入方向に向けて前記ヒンジ部側に順次近づくガイド面が設けられると共に、前記第２側壁部に、前記第１本体部に対して前記第２本体部が閉じられる途中で前記ガイド面に摺接し、前記ロック部を前記受側ロック部の幅方向中央に向けて案内する案内突部が設けられている、プロテクタ。
【請求項２】
請求項１記載のプロテクタであって、
前記ガイド面及び前記案内突部は、前記ロック部が前記受側ロック部に挿入されて前記受側ロック部の弾性変形を開始させる時点以前に、摺接を開始する位置に形成されている、プロテクタ。
【請求項３】
請求項１又は請求項２に記載のプロテクタであって、
前記受側ロック部は、前記第１側壁部の主面に並列状に突設された一対の側部と前記第１側壁部に対して間隔を空けた位置で前記一対の側部と繋ぐ連結部とを含み、前記第１側壁部と前記連結部と前記一対の側部とで囲まれる挿入穴部に、前記ロック部を挿入可能に構成され、
前記ロック部は、前記第２側壁部から前記第１側壁部に向けて突出する板状のロック本体部と、前記ロック本体部の幅方向中央部に突設され、前記受側ロック部に係止可能なロック突部とを含み、
前記ロック突部が前記挿入穴部内に位置するいずれかの状態で、前記ロック突部が前記連結部の幅方向中央部に位置するように、前記案内突部が前記ガイド面に摺接する、プロテクタ。
【請求項４】
請求項１〜請求項３のいずれか１項に記載のプロテクタであって、
前記ロック部の先端部は、先端側に向けて順次幅狭になる形状に形成されている、プロテクタ。
【請求項５】
請求項１〜請求項４のいずれか１項に記載のプロテクタと、
延在方向の少なくとも一部が前記プロテクタに収容された少なくとも１本の電線と、
を備えるプロテクタ付電線。
【発明の詳細な説明】
【技術分野】
【０００１】
この発明は、電線を保護するプロテクタに関する。
【背景技術】
【０００２】
特許文献１に開示のプロテクタは、合体可能な第１本体部と第２本体部とを含む。第１本体部に受側係止部が設けられ、第２本体部に挿入側係止部が設けられる。挿入側係止部は、方形板状の係止本体部を含み、受側係止部は、係止本体部の幅よりも大きな間隔をあけて設けられ、間に係止本体部を配設可能な一対の側部を含む。第２本体部に、第１本体部と第２本体部とが合体した状態で、一対の側部の一方側の外面に当接する当接部が設けられている。
【０００３】
これにより、一対の側部間に係止本体部を容易に配設して、挿入側係止部を受側係止部に容易に挿入係止することができる。また、プロテクタを閉じた状態でのプロテクタのがたつき、ずれを抑制できる。
【先行技術文献】
【特許文献】
【０００４】
【特許文献１】特開２０１３−２５８８４６号公報
【発明の概要】
【発明が解決しようとする課題】
【０００５】
ところで、プロテクタとして、一方の本体部に対して他方の本体部がヒンジ部を介して開閉可能に連結されるタイプのものがある。また、かかるプロテクタにおいて、ヒンジに直交する側壁部に受側係止部及び挿入側係止部が設けられるタイプのものがある。
【０００６】
通常、受側係止部が挿入側係止部内で大きく遊び動かないように、受側係止部の内部幅寸法は、挿入側係止部の幅寸法と同じか僅かに大きい程度に設定される。
【０００７】
しかしながら、上記のようなタイプのプロテクタでは、挿入側係止部は、ヒンジ部を中心として、相対回転して及び受側係止部に挿入される。このため、挿入側係止部を、受側係止部に挿入する際の作業性が悪いという問題があった。
【０００８】
そこで、本発明は、第１本体部と第２本体部とがヒンジ部を介して開閉されるタイプのプロテクタにおいて、ロック部を受側ロック部に容易に挿入できるようにすることを目的とする。
【課題を解決するための手段】
【０００９】
上記課題を解決するため、第１の態様に係るプロテクタは、ヒンジ部を介して開閉可能に連結され、閉じられた状態で電線を収容する空間を形成する第１本体部及び第２本体部を備え、前記第１本体部に、前記ヒンジ部の軸に対して交差する方向に沿って第１側壁部が形成されると共に、前記第２本体部に、前記第１側壁部の延在方向に沿って第２側壁部が設けられ、前記第２側壁部に、前記第１本体部と前記第２本体部とが閉じられた状態で相手側に対して突出するロック部が設けられると共に、前記第１側壁部に、前記ロック部を挿入及び係止可能な受側ロック部が設けられ、前記第１側壁部に、前記受側ロック部に対する前記ロック部の挿入方向に向けて前記ヒンジ部側に順次近づくガイド面が設けられると共に、前記第２側壁部に、前記第１本体部に対して前記第２本体部が閉じられる途中で前記ガイド面に摺接し、前記ロック部を前記受側ロック部の幅方向中央に向けて案内する案内突部が設けられているものである。
【００１０】
第２の態様は、第１の態様に係るプロテクタであって、前記ガイド面及び前記案内突部は、前記ロック部が前記受側ロック部に挿入されて前記受側ロック部の弾性変形を開始させる時点以前に、摺接を開始する位置に形成されているものである。
【００１１】
第３の態様は、第１又は第２の態様に係るプロテクタであって、前記受側ロック部は、前記第１側壁部の主面に並列状に突設された一対の側部と前記第１側壁部に対して間隔を空けた位置で前記一対の側部と繋ぐ連結部とを含み、前記第１側壁部と前記連結部と前記一対の側部とで囲まれる挿入穴部に、前記ロック部を挿入可能に構成され、前記ロック部は、前記第２側壁部から前記第１側壁部に向けて突出する板状のロック本体部と、前記ロック本体部の幅方向中央部に突設され、前記受側ロック部に係止可能なロック突部とを含み、前記ロック突部が前記挿入穴部内に位置するいずれかの状態で、前記ロック突部が前記連結部の幅方向中央部に位置するように、前記案内突部が前記ガイド面に摺接するものである。
【００１２】
第４の態様は、第１〜第３のいずれか１つの態様に係るプロテクタであって、前記ロック部の先端部は、先端側に向けて順次幅狭になる形状に形成されているものである。
【００１３】
第５の態様に係るプロテクタ付電線は、第１〜第４のいずれか１つの態様に係るプロテクタと、延在方向の少なくとも一部が前記プロテクタに収容された少なくとも１本の電線とを備える。
【発明の効果】
【００１４】
第１〜第５の態様によると、第１本体部に対して第２本体部が閉じられる途中で、案内突部がガイド面に摺接し、ロック部を受側ロック部の幅方向中央に向けて案内するため、ロック部を受側ロック部に容易に挿入できる。
【００１５】
第２の態様によると、ガイド面及び案内突部の摺接によりロック部が案内された状態で、ロック部が受側ロック部に挿入されるため、ロック部を受側ロック部により容易に挿入できる。
【００１６】
第３の態様によると、前記ロック突部が前記挿入穴部内に位置するいずれかの状態で、ロック突部が連結部の幅方向中央部に位置するように、案内突部がガイド面に摺接する。このため、ロック突部が連結部の幅方向中央部に当接して、連結部が弾性変形し易くなる。これにより、ロック部を受側ロック部に容易に挿入することができる。
【００１７】
第４の態様によると、前記ロック部の先端部は、先端側に向けて順次幅狭になる形状に形成されているため、ロック部が受側ロック部に干渉し難くなる。これにより、ロック部を受側ロック部により容易に挿入することができる。
【図面の簡単な説明】
【００１８】
【図１】実施形態に係るプロテクタ付電線を示す概略斜視図である。
【図２】プロテクタの部分斜視図である。
【図３】プロテクタの部分側面図である。
【図４】プロテクタを閉じる途中状態を示す説明図である。
【図５】変形例に係るプロテクタの部分側面図である。
【図６】同上の変形例に係るプロテクタを閉じる途中状態を示す説明図である。
【発明を実施するための形態】
【００１９】
以下、実施形態に係るプロテクタ付電線及びプロテクタについて説明する。図１はプロテクタ付電線１０を示す概略斜視図であり、図２はプロテクタ２０の部分概略斜視図であり、図３はプロテクタ２０の部分概略側面図である。
【００２０】
このプロテクタ付電線１０は、電線１２と、プロテクタ２０とを備える。
【００２１】
プロテクタ付電線１０は、少なくとも１本の電線１２を含む。ここでは、複数の電線１２が束ねられている。また、複数の電線１２は、本プロテクタ２０に収容される部分で分岐している。すなわち、複数の電線１２は、本プロテクタ２０によって収容される部分でＴ字状に分岐している。複数の電線１２は、本プロテクタ２０外で分岐していてもよい。また、電線１２に対して光ファイバケーブルが束ねられていてもよい。かかる複数の電線１２は、ワイヤーハーネスとして、車両等に配索されて各種電気部品同士を電気的に接続する配線材として用いられる。
【００２２】
プロテクタ２０は、樹脂等による金型成形部品であり、閉じられた状態で電線１２を収容する空間を形成する第１本体部２２と、第２本体部３２とを備える。ここでは、プロテクタ２０は、直線筒状（角筒状）をなす直線部２１ａと、その直線部２１ａの延在方向中間部で一方側に向けて分岐する分岐部２１ｂとを有する形状、すなわち、Ｔ字状をなしている。
【００２３】
より具体的には、第１本体部２２は、第１直線部２３と、第１分岐部２４とを備える。
【００２４】
第１直線部２３は、細長板状の底板部２３ａの両側部に一対の側壁部２３ｂが立上がる角樋状に形成されており、その両端部及び上方が開口している。
【００２５】
また、一方の側壁部２３ｂに開口が形成され、この開口に第１分岐部２４が連なっている。第１分岐部２４は、細長板状の底板部２４ａの両側部に一対の側壁部２４ｂが立上がる角樋状に形成されている。第１分岐分２４の底板部２４ａは、第１直線部２３の底板部２３ａに繋がっており、一対の側壁部２４ｂは、上記開口の両側部で第１直線部２３の側壁部２３ｂに連なっている。
【００２６】
これにより、第１本体部２２に、上方が開口すると共に、第１直線部２３の両端及び第１分岐部２４の外側端部で開口する、Ｔ字状の収容空間が形成される。
【００２７】
以下では、第１本体部２２の第１分岐部２４一対の側壁部２４ｂを、第１側壁部２４ｂと称する。
【００２８】
第２本体部３２は、第２直線部３３と、第２分岐部３４とを備える。
【００２９】
第２直線部３３は、細長板状の天井部３３ａの両側部に一対の側壁部３３ｂが垂設された角樋状に形成されており、その両端部及び下方が開口している。
【００３０】
また、一方の側壁部３３ｂに開口が形成され、この開口に第２分岐部３４が連なっている。第２分岐部３４は、細長板状の天井部３４ａの両側部に一対の側壁部３４ｂが垂設された角樋状に形成されている。第２分岐分３４の天井部３４ａは、第２直線部３３の天井部３３ａに繋がっており、一対の側壁部３４ｂは、上記開口の両側部で第２直線部３３の側壁部３３ｂに連なっている。
【００３１】
これにより、第２本体部３２に、下方が開口すると共に、第２直線部３３の両端及び第２分岐部３４の外側端部で開口する、Ｔ字状の収容空間が形成される。
【００３２】
以下では、第２本体部３２の第２分岐部３４の一対の側壁部３４ｂを、第２側壁部３４ｂと称する。
【００３３】
なお、ここでは、第１本体部２２は、第２本体部３２よりも深い。もっとも、第１本体部と第２本体部とは同じ深さ寸法であってもよいし、第１本体部が第２本体部よりも浅くてもよい。
【００３４】
上記第１本体部２２と第２本体部３２とは、ヒンジ部３１を介して開閉可能に連結されている。ここでは、第１直線部２３の他方の側壁部２３ｂの上端縁部と第２直線部３３の他方の側壁部３３ｂの上端縁部とがヒンジ部３１を介して連結されている。ここでは、ヒンジ部３１は、側壁部２３ｂ、３３ｂ等よりも薄く形成された直線状部分であり、容易に変形できる部分である。第１本体部２２と第２本体部３２とは、ヒンジ部３１を中心として開閉される。第１本体部２２と第２本体部３２とが開かれた状態では、第１本体部２２の上方開口が開放された状態となり、当該開口を通じて第１本体部２２内に複数の電線１２を容易に収容できる。また、第１本体部２２と第２本体部３２とを閉じた状態では、第１本体部２２の上方開口が、第２本体部３２によって塞がれ、複数の電線１２が第１本体部２２と第２本体部３２との間で収容された状態に保たれる。
【００３５】
上記第１側壁部２４ｂは、上記ヒンジ部３１の軸方向に対して交差する方向に沿って延在しており、第２側壁部３４ｂは、第１側壁部２４ｂの延在方向に沿って延在している。ここでは、上記第１側壁部２４ｂと第２側壁部３４ｂとは、上記ヒンジ部３１の軸方向に対して直交している。そして、第１本体部２２と第２本体部３２とが閉じられると、第１側壁部２４ｂと第２側壁部３４ｂとがそれぞれの縁部を突合わせる。
【００３６】
もっとも、第１側壁部２４ｂと第２側壁部３４ｂとは、ヒンジ部３１の軸方向に対する直交状態から傾いた姿勢で延在していてもよい。
【００３７】
上記一対の第２側壁部３４ｂのそれぞれにロック部３６が設けられると共に、一対の第１側壁部２４ｂのそれぞれに受側ロック部２６が設けられている。ロック部３６は、第１本体部２２と第２本体部３２とが閉じられた状態で相手側に対して突出するように形成されている。受側ロック部２６は、上記ロック部３６を挿入及び係止可能に形成されている。
【００３８】
より具体的には、受側ロック部２６は、一対の側部２６ａと、連結部２６ｂとを備える。
【００３９】
一対の側部２６ａは、第１側壁部２４ｂの主面である外面に並列状に形成されている。一対の側部２６ａの延在方向は、第１側壁部２４ｂの上縁部に対して直交する方向である。また、一対の側部２６ａは、第１側壁部２４ｂの上縁部の延在方向において間隔を空けて形成されている。
【００４０】
連結部２６ｂは、第１側壁部２４ｂの外面に対して間隔を空けた位置で一対の側部２６ａを繋ぐように形成されている。ここでは、連結部２６ｂは、板状に形成されており、一対の側部２６ａの間の上部（ロック部３６の挿入方向手前側）では、一対の側部２６ａの上端部よりも突出しており、一対の側部２６ａの上部（ロック部３６の挿入方向先端側）では、一対の側部２６ａの下縁部よりも凹んでいる。
【００４１】
そして、第１側壁部２４ｂの外面と一対の側部２６ａと連結部２６ｂとで囲まれる方形孔状の挿入穴部２６ｈが形成される。この挿入穴部２６ｈに、ロック部３６が挿入される。
【００４２】
ロック部３６は、ロック本体部３６ａと、ロック突部３６ｂとを備える。
【００４３】
ロック本体部３６ａは、第２側壁部３４ｂから第２側壁部２４ｂ側に向けて突出する板状に形成されている。より具体的には、ロック本体部３６ａは、第２側壁部３４ｂの下側縁部から突出する細長い板状に形成されている。ロック本体部３６ａの幅寸法は、挿入穴部２６ｈの幅寸法と同じか小さい（僅かに小さい）程度に設定され、ロック本体部３６ａの厚み寸法は、挿入穴部２６ｈの開口幅寸法（第２側壁部３４ｂに対して直交する方向における寸法）と同じか小さい（僅かに小さい）程度に設定されている。また、ロック本体部３６ａの突出寸法は、第１壁部２４ｂと第２壁部３４ｂとを突合わせた状態で、上記受側ロック部２６の連結部２６ｂの下縁部を越える寸法に設定されている。
【００４４】
これにより、ロック本体部３６ａが挿入穴部２６ｈ内に奥まで挿入された状態で、ロック本体部３６ａの先端部が挿入穴部２６ｈを越えて下側に突出する。
【００４５】
また、ロック部３６の先端部は、先端側に向けて徐々に幅狭になる形状に形成されている。ここでは、ロック本体部３６ａの先端部が、角取りされた形状に形成されており、これにより、先端側に向けて徐々に幅狭になる形状に形成されている。ロック本体部３６ａの先端部は、丸められていてもよい。
【００４６】
これにより、ロック部３６を受側ロック部２６に容易に挿入できる。すなわち、第１本体部２２と第２本体部３２とはヒンジ部３１を介して開閉されるため、受側ロック部２６に対してロック部３６が挿入される初期段階においては、ロック部３６は、受側ロック部２６に対して傾いている。このため、ロック部３６の先端側角部と受側ロック部２６の挿入側開口部とが干渉し易い。そこで、上記のように、ロック部３６の先端部を、先端側に向けて徐々に幅狭になる形状に形成しておけば、ロック部３６の先端部と受側ロック部２６の挿入側開口部との干渉を抑制でき、ロック部３６を受側ロック部２６に対して容易に挿入できる。
【００４７】
もっとも、ロック本体部３６ａの先端部が上記形状に形成されていることは必須ではない。
【００４８】
ロック突部３６ｂは、ロック本体部３６ａの先端部の幅方向中央部に、外向きに突出するように形成されている。ロック突部３６ｂは、ロック本体部３６ａの先端側に向けて徐々に高さ寸法が小さくなる形状に形成されている。これにより、ロック部３６を挿入穴部２６ｈに挿入する際に、ロック突部３６ｂが連結部２６ｂを徐々に外向き弾性変形させることができるようになっている。また、ロック突部３６ｂが連結部２６ｂを越えると、連結部２６ｂが元の形状に復帰し、これにより、ロック突部３６ｂのうちロック本体部３６ａの基端側向きの面が連結部２６ｂに抜止め係止するようになる。
【００４９】
なお、連結部にその表裏に貫通する孔部が形成され、ロック突部が当該孔部に係止する構成であってもよい。この場合、挿入穴部は、貫通している孔である必要はない。
【００５０】
なお、このようなロック部３６及び受側ロック部２６は、好ましくは、上記直線部２３、３３の側壁部にも設けられる。
【００５１】
また、上記第１側壁部２４ｂにガイド面２８ｆが設けられると共に、第２側壁部３４ｂに案内突部３８が設けられている。
【００５２】
すなわち、第１側壁部２４ｂの主面である外面であって、上記受側ロック部２６に対してヒンジ部３１から遠い側の隣の位置にガイド突部２８が突設されている。ガイド突部２８は、挿入穴部２６ｈの軸方向に沿って細長い突起形状に形成されており、その受側ロック部２６側の面がガイド面２８ｆに形成されている。ガイド面２８ｆは、受側ロック部２６に対するロック部３６の挿入方向（下方向）に向けてヒンジ部３１側に順次近づく形状に形成されている。ここでは、ガイド面２８ｆは、平面状に形成されているが、その他弧状を描く面に形成されていてもよい。
【００５３】
また、第２側壁部３４ｂに、ロック部３６が受側ロック部２６に挿入され係止する前に、ガイド面２８ｆに摺接可能な案内突部３８が設けられている。より具体的には、第２側壁部３４ｂの下縁部であってロック部３６に対してヒンジ部３１から遠い側の隣の位置に、案内突部３８が突設されている。ここでは、案内突部３８のうちロック部３６から遠い側の面が、上記ガイド面２８ｆの傾斜角度に合わせて傾斜する面に形成されているが、これは必須ではない。
【００５４】
そして、図４に示すように、第１本体部２２と第２本体部３２とを閉じる途中で、案内突部３８の先端部がガイド面２８ｆに接触する。そして、第１本体部２２と第２本体部３２とをさらに閉じると、案内突部３８の先端部がガイド面２８ｆに接触しつつガイド面２８ｆ上を移動する。これにより、ロック部３６が受側ロック部２６の幅方向中央に向けて案内される（図４の矢符Ｐ参照）。
【００５５】
ここでは、ロック突部３６ｂが挿入穴部２６ｈ内に挿入され、ロック突部３６ｂが連結部２６ｂに接触して当該連結部２６ｂを外向きに弾性変形させている状態で、案内突部３８の先端部がガイド面２８ｆに接触し、ロック突部３６ｂを連結部２６ｂの幅方向中央部に向けて案内する。これにより、ロック突部３６ｂが連結部２６ｂの幅方向中央部に摺接した状態で、当該連結部２６ｂを外向きに弾性変形させることができるため、比較的小さい力でロック部３６を挿入することが可能となる。
【００５６】
なお、上記ガイド面２８ｆ及び案内突部３８が無い場合を想定すると、ロック部３６は、ヒンジ部３１を中心とする弧状軌跡を描きつつ、受側ロック部２６に挿入される。通常は、第１本体部２２と第２本体部３２とを完全に閉じた状態で、受側ロック部２６の幅方向中央部とロック部３６の幅方向中央部とが一致するように、設計される。このため、ロック部３６を受側ロック部２６に完全に挿入及び係止した状態となる前の状態では、ロック部３６の中心部は、受側ロック部２６の中心部に対してヒンジ部３１から遠い側にずれた位置に配設される。すると、ロック突部３６ｂは、連結部２６ｂのいずれかの側方部分に偏った位置で連結部２６ｂを外向き弾性変形させる必要があるため、その弾性変形を起させるための力が大きくなり、結果、ロック部３６の挿入力も大きくなってしまう。
【００５７】
これに対して、本実施形態では、ロック突部３６ｂが連結部２６ｂの幅方向中央部に摺接した状態で、当該連結部２６ｂを外向きに弾性変形させることができるため、比較的小さい力で連結部２６ｂを弾性変形させることができ、結果、ロック部３６の挿入力を小さくできる。
【００５８】
以上のように構成されたプロテクタ付電線１０及びプロテクタ２０によると、第１本体部２２に対して第２本体部３２が閉じられる途中で、案内突部３８がガイド面２８ｆに摺接し、ロック部３６を受側ロック部２６の幅方向中央に向けて案内するため、ロック部３６を受側ロック部２６に容易に挿入できる。
【００５９】
ここでは、ロック突部３６ｂが挿入穴部２６ｈ内に位置するいずれかの状態（換言すれば、ロック突部３６ｂが連結部２６ｂに摺接しているいずれかの状態）で、ロック突部３６ｂが連結部２６ｂの幅方向中央部に位置するように、案内突部３８がガイド面２８ｆに摺接するため、ロック突部３６ｂが連結部２６ｂの幅方向中央部に当接して、連結部２６ｂが外向きに弾性変形し易くなる。これにより、ロック部３６を受側ロック部２６に比較的小さい力で容易に挿入することができる。
【００６０】
なお、上記実施形態において、ガイド面２８ｆ及び案内突部３８は、第１側壁部２４ｂ及び第２側壁部３４ｂの内面側に設けられていてもよい。また、ガイド面２８ｆ及び案内突部３８は、ロック部３６及び受側ロック部２６に対してヒンジ部３１に近い側に設けられていてもよい。
【００６１】
図５及び図６は変形例に係るガイド面１２８ｆ及び案内突部１３８を示す図である。
【００６２】
この変形例では、ガイド面１２８ｆ及び案内突部１３８は、ロック部３６が受側ロック部２６に挿入されて受側ロック部２６の弾性変形を開始させる時点以前に、摺接を開始する位置に形成されている。また、ガイド面１２８ｆは、案内突部１３８の突出寸法の大きさに応じて、受側ロック部２６の下方にも延在するように形成されている。
【００６３】
この変形例では、案内突部１３８がロック部３６の先端部よりも突出する（大きく突出する）ように形成されている。そして、ロック部３６が受側ロック部２６に挿入されるよりも前（或は挿入と同時）に、案内突部１３８の先端部がガイド面１２８ｆに摺接する。これにより、ロック部３６の先端部が、受側ロック部２６の幅方向中央に位置するように案内される。このため、ロック部３６の挿入初期状態からロック部３６の幅方向中央部が受側ロック部２６の幅方向中央に位置するように案内でき（図６の矢符Ｐ参照）、これにより、ロック突部３６ｂを連結部２６ｂの幅方向中央部に当接させて、連結部２６ｂを容易に外向きに弾性変形させることができる。結果、ロック部３６の挿入力を小さくできる。また、ロック部３６の先端部と受側ロック部２６の挿入側開口との干渉を抑制できるという利点もある。
【００６４】
｛変形例｝
なお、本実施形態では、プロテクタ２０がＴ字状をなす例で説明したが、プロテクタ２０の形状は上記例に限られない。直線部の側方に設けられた分岐部が直線部に沿って延在し、直線部のいずれかの開口と同方向に開口するものであってもよい。また、本ガイド面及び案内突部に係る構成は、プロテクタがＬ字状に形成され、その一方側の辺に沿ってヒンジ部が形成され、他方側の辺に沿って第１側壁部、第２側壁部が設けられた構成においても適用可能である。
【００６５】
すなわち、ガイド面及び案内突部に係る構成は、ヒンジ部を介して開閉可能に連結され、閉じられた状態で電線を収容する空間を形成する第１本体部及び第２本体部を備えたプロテクタにおいて、第１本体部に、ヒンジ部の軸に対して交差する方向に沿って第１側壁部が形成されると共に、第２本体部に、第１側壁部の延在方向に沿って第２側壁部が設けられた構成に対して、適用可能である。
【００６６】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６７】
１０  プロテクタ付電線
１２  電線
２０  プロテクタ
２２  第１本体部
２４ｂ  第１側壁部
２６  受側ロック部
２６ａ  側部
２６ｂ  連結部
２６ｈ  挿入穴部
２８  ガイド突部
２８ｆ，１２８ｆ  ガイド面
３１  ヒンジ部
３２  第２本体部
３４ｂ  第２側壁部
３６  ロック部
３６ａ  ロック本体部
３６ｂ  ロック突部
３８，１３８  案内突部
【図１】
2016096601.tif 000003
【図２】
2016096601.tif 000004
【図３】
2016096601.tif 000005
【図４】
2016096601.tif 000006
【図５】
2016096601.tif 000007
【図６】
2016096601.tif 000008